(57)【要約】【課題】原稿の歪みやねじれに起因する紙詰まりを回避可能なスキャン装置及びその給紙モジュールを提供する。【解決手段】給紙モジュールは、本体を含み、本体の外表面には作業平面が形成され、本体内にはスロットチャンネルが形成され、スロットチャンネルの両端には給紙口及び排紙口がそれぞれ形成され、排紙口には排紙ローラ群が設けられ、作業平面にはスロットチャンネルの一方側に連通するポートが開設され、スロットチャンネルにはポートと排紙ローラ群との間に位置するスキャンアセンブリが配置され、スキャンアセンブリは、スロットチャンネル内のポートに対向する他方側に位置し、スロットチャンネルの内壁から露出するように配置される。【選択図】図１
2018111599.tif 000002
【特許請求の範囲】
【請求項１】
本体を含む給紙モジュールであって、
前記本体の外表面には作業平面が形成され、前記本体内にはスロットチャンネルが形成され、
前記スロットチャンネルの両端には、給紙口及び排紙口がそれぞれ形成され、
前記排紙口には、排紙ローラ群が設けられ、
前記作業平面には、前記スロットチャンネルの一方側に連通するポートが開設され、
前記スロットチャンネルには、前記ポートと前記排紙ローラ群との間にスキャンアセンブリが配置され、
前記スキャンアセンブリは、前記スロットチャンネル内の前記ポートに対向する他方側に位置し、前記スロットチャンネルの内壁から露出するように配置されることを特徴とする給紙モジュール。
【請求項２】
前記排紙口と前記作業平面との間には、前記作業平面に垂直な段差が形成されることを特徴とする請求項１に記載の給紙モジュール。
【請求項３】
前記本体には、前記段差の範囲内に排紙トレイが形成されることを特徴とする請求項２に記載の給紙モジュール。
【請求項４】
前記本体内には、前記スキャンアセンブリに対応するキャリアとアクチュエータとが配置され、
前記キャリアの上には、補正シートが配置され、
前記アクチュエータは、前記スキャンアセンブリに前記補正シートを付けるように、前記キャリアを前記スキャンアセンブリに向けて押し付けることを特徴とする請求項１に記載の給紙モジュール。
【請求項５】
前記本体内には、ガイド溝が形成され、
前記キャリアには、ホゾが凸設され、
前記ホゾは、前記キャリアが前記ガイド溝に沿って移動するように前記ガイド溝を貫通して設けられることを特徴とする請求項４に記載の給紙モジュール。
【請求項６】
前記アクチュエータは、前記キャリアに対応して配置されるカムと、当該カムに連動するモータとを含むことを特徴とする請求項４に記載の給紙モジュール。
【請求項７】
前記アクチュエータは、前記キャリアに連動する電磁弁を含むことを特徴とする請求項４に記載の給紙モジュール。
【請求項８】
前記本体内には、前記スキャンアセンブリに対応するプラテンブロックと当該プラテンブロックに連動する弾性要素とが配置され、
前記弾性要素は、前記プラテンブロックを、前記スキャンアセンブリに押し当てるように、前記スキャンアセンブリに向けて押し付けることを特徴とする請求項４に記載の給紙モジュール。
【請求項９】
前記キャリアは、第１ガイド面を有し、
前記プラテンブロックは、前記第１ガイド面に対応して付合される第２ガイド面を有し、
前記第１ガイド面は、前記キャリアが前記スキャンアセンブリに向けて移動する際に、前記第２ガイド面を押圧することで前記プラテンブロックを前記スキャンアセンブリから離れるように押し付けることを特徴とする請求項８に記載の給紙モジュール。
【請求項１０】
前記本体内には、前記ポートに対応するプラテンブロックが配置され、
前記プラテンブロックは、前記スロットチャンネルを横方向に通過して前記ポートまで移動可能であることを特徴とする請求項１に記載の給紙モジュール。
【請求項１１】
前記スロットチャンネルには、前記作業平面に対して傾斜配置されるスロープが形成され、
前記スロープは、前記ポートと前記排紙口との間に介在して接続されることを特徴とする請求項１に記載の給紙モジュール。
【請求項１２】
透光性キャリアプレートと、本体と、可動スキャナと、を含み
前記本体の外表面には、前記透光性キャリアプレートの片面に付合される作業平面が形成され、前記本体内には、スロットチャンネルが形成され、
前記スロットチャンネルの両端には、給紙口及び排紙口がそれぞれ形成され、
前記排紙口には、排紙ローラ群が設けられ、
前記作業平面には、前記スロットチャンネルの一方側に連通するポートが開設され、
前記スロットチャンネルには、前記ポートと前記排紙ローラ群との間に位置するスキャンアセンブリが配置され、
前記スキャンアセンブリは、前記スロットチャンネル内の前記ポートに対向する他方側に位置し、前記スロットチャンネルの内壁から露出するように配置され、
前記可動スキャナは、前記ポートの位置に対応して当該ポートに向けて前記透光性キャリアプレートの他面に配置され、
前記可動スキャナ及び前記スキャンアセンブリのそれぞれは、前記スロットチャンネルの両側に向けて配置されることを特徴とするスキャン装置。
【請求項１３】
前記排紙口と前記作業平面との間には、前記作業平面に垂直な段差が形成されることを特徴とする請求項１２に記載のスキャン装置。
【請求項１４】
前記本体には、前記段差の範囲内に排紙トレイが形成されることを特徴とする請求項１３に記載のスキャン装置。
【請求項１５】
前記本体内には、前記スキャンアセンブリに対応するキャリアとアクチュエータとが配置され、
前記キャリアの上には、補正シートが配置され、
前記アクチュエータは、前記スキャンアセンブリに前記補正シートを付けるように、前記キャリアを前記スキャンアセンブリに向けて押し付けることを特徴とする請求項１２に記載のスキャン装置。
【請求項１６】
前記本体内には、ガイド溝が形成され、
前記キャリアには、ホゾが凸設され、
前記ホゾは、前記キャリアが前記ガイド溝に沿って移動するように前記ガイド溝を貫通して設けられることを特徴とする請求項１５に記載のスキャン装置。
【請求項１７】
前記アクチュエータは、前記キャリアに対応して配置されるカムと、当該カムに連動するモータとを含むことを特徴とする請求項１５に記載のスキャン装置。
【請求項１８】
前記アクチュエータは、前記キャリアに連動する電磁弁を含むことを特徴とする請求項１５に記載のスキャン装置。
【請求項１９】
前記本体内には、前記スキャンアセンブリに対応するプラテンブロックと当該プラテンブロックに連動する弾性要素とが配置され、
前記弾性要素は、前記プラテンブロックを、前記スキャンアセンブリに押し当てるように、前記スキャンアセンブリに向けて押し付けることを特徴とする請求項１５に記載のスキャン装置。
【請求項２０】
前記キャリアは、第１ガイド面を有し、
前記プラテンブロックは、前記第１ガイド面に対応して付合される第２ガイド面を有し、
前記第１ガイド面は、前記キャリアが前記スキャンアセンブリに向けて移動する際に、前記第２ガイド面を押圧することで前記プラテンブロックを前記スキャンアセンブリから離れるように押し付けることを特徴とする請求項１９に記載のスキャン装置。
【請求項２１】
前記本体内には、前記ポートに対応するプラテンブロックが配置され、
前記プラテンブロックは、前記スロットチャンネルを横方向に通過して前記ポートまで移動可能であることを特徴とする請求項１２に記載のスキャン装置。
【請求項２２】
前記スロットチャンネルには、前記作業平面に対して傾斜配置されるスロープが形成され、
前記スロープは、前記ポートと前記排紙口との間に介在して接続されることを特徴とする請求項１２に記載のスキャン装置。
【発明の詳細な説明】
【技術分野】
【０００１】
本発明は、スキャン装置に関し、特に、両面スキャン可能なスキャン装置及びその給紙モジュールに関する。
【背景技術】
【０００２】
自動原稿送り装置（Ａｕｔｏ  Ｄｏｃｕｍｅｎｔ  Ｆｅｅｄｅｒ；ＡＤＦ）とは、従来のコピー機に用いられる紙送り機構である。自動原稿送り装置は、原稿束から原稿を１枚ずつ送ってコピー機のスキャナによってスキャンされることができる構成となっている。一般的なコピー機では、原稿の片面だけをスキャンし、自動原稿送り装置に配置された他のスキャナによって原稿の他面をスキャンすることで、一回の紙送りで原稿の両面をスキャンすることができる。
【０００３】
一般的かつ簡単な配置は、コピー機のスキャナに近い場所に他のスキャナを配置することである。特許文献１〜特許文献４は、このような配置方式を用いるものである。
【先行技術文献】
【特許文献】
【０００４】
【特許文献１】米国特許第７４５７００６（Ｂ２）号明細書
【特許文献２】米国特許第５２８０３６８（Ａ）号明細書
【特許文献３】米国特許第７４１１７０４（Ｂ２）号明細書
【特許文献４】米国特許第８７３０５３７（Ｂ２）号明細書
【発明の概要】
【発明が解決しようとする課題】
【０００５】
しかしながら、一般的に、多くのスキャナは、コンタクトイメージセンサ（Ｃｏｎｔａｃｔ  Ｉｍａｇｅ  Ｓｅｎｓｏｒ；ＣＩＳ）であるので、正確にフォーカスしてより良いスキャン画像の品質を得るために、原稿がスキャナに平らで密着しなければならない。そのため、２つのスキャナが対向して配置されることを前提とすれば、原稿が１つのスキャナを通過すると、直ちに回転してもう１つのスキャナに平らで密着しなければならない。この動作は、プラテンブロックを配置することで達成できるが、このような動作によって原稿は歪みやねじれが生じやすく、紙詰まりの原因となる。
【０００６】
以上に鑑みて、本発明の発明者は、研究と理論の使用とによって、設計が合理的であり、有効に上記の欠点を改善、解決することができる本発明を得た。
【０００７】
本発明の目的は、両面スキャンするための給紙モジュールを提供することである。また、本発明の他の目的は、両面スキャンするためのスキャン装置を提供することである。
【課題を解決するための手段】
【０００８】
本発明に係る給紙モジュールは、本体を含み、本体の外表面には作業平面が形成され、本体内にはスロットチャンネルが形成され、スロットチャンネルの両端には給紙口及び排紙口がそれぞれ形成され、排紙口には排紙ローラ群が設けられ、作業平面にはスロットチャンネルの一方側に連通するポートが開設され、スロットチャンネルにはポートと排紙ローラ群との間に位置するスキャンアセンブリが配置され、スキャンアセンブリは、スロットチャンネル内のポートに対向する他方側に位置し、スロットチャンネルの内壁から露出するように配置される。
【０００９】
本発明に係る給紙モジュールにおいて、スロットチャンネルには、作業平面に対して傾斜配置されるスロープが形成される。スロープは、ポートと排紙口との間に介在して接続され、排紙口と作業平面との間には、作業平面に垂直な段差が形成される。本体には、段差の範囲内に排紙トレイが形成される。
【００１０】
本発明に係る給紙モジュールにおいて、本体内にはスキャンアセンブリに対応するキャリアとアクチュエータとが配置され、キャリアの上には補正シートが配置され、アクチュエータは、スキャンアセンブリに補正シートを付けるように、キャリアをスキャンアセンブリに向けて押し付ける。本体内にはガイド溝が形成され、キャリアにはホゾが凸設され、ホゾはキャリアがガイド溝に沿って移動するようにガイド溝を貫通して設けられる。アクチュエータは、キャリアに対応して配置されるカムと、当該カムに連動するモータとを含む。アクチュエータは、キャリアに連動する電磁弁を含む。本体内には、スキャンアセンブリに対応するプラテンブロックと当該プラテンブロックに連動する弾性要素とが配置され、弾性要素は、プラテンブロックを、スキャンアセンブリに押し当てるように、スキャンアセンブリに向けて押し付ける。キャリアは、第１ガイド面を有し、プラテンブロックは、第１ガイド面に対応して付合される第２ガイド面を有し、第１ガイド面は、キャリアがスキャンアセンブリに向けて移動する際に、第２ガイド面を押圧することでプラテンブロックをスキャンアセンブリから離れるように押し付ける。
【００１１】
本発明に係る給紙モジュールにおいて、本体内にはポートに対応するプラテンブロックが配置され、プラテンブロックは、スロットチャンネルを横方向に通過してポートまで移動可能である。
【００１２】
また、本発明に係るスキャン装置は、透光性キャリアプレートと、本体と、可動スキャナとを含む。本体の外表面には透光性キャリアプレートの片面に付合される作業平面が形成され、本体内にはスロットチャンネルが形成され、スロットチャンネルの両端には給紙口及び排紙口がそれぞれ形成され、排紙口には排紙ローラ群が設けられ、作業平面にはスロットチャンネルの一方側に連通するポートが開設され、スロットチャンネルにはポートと排紙ローラ群との間に位置するスキャンアセンブリが配置される。スキャンアセンブリは、スロットチャンネル内のポートに対向する他方側に位置し、スロットチャンネルの内壁から露出するように配置される。可動スキャナは、ポートの位置に対応して当該ポートに向けて透光性キャリアプレートの他面に配置され、可動スキャナ及びスキャンアセンブリのそれぞれは、スロットチャンネルの両側に向けて配置される。
【００１３】
本発明に係るスキャン装置において、スロットチャンネルには、作業平面に対して傾斜配置されるスロープが形成される。スロープは、ポートと排紙口との間に介在して接続され、排紙口と作業平面との間には作業平面に垂直な段差が形成される。本体には、段差の範囲内に排紙トレイが形成される。
【００１４】
本発明に係るスキャン装置において、本体内にはスキャンアセンブリに対応するキャリアとアクチュエータとが配置され、キャリアの上には補正シートが配置され、アクチュエータは、スキャンアセンブリに補正シートを付けるように、キャリアをスキャンアセンブリに向けて押し付ける。本体内にはガイド溝が形成され、キャリアにはホゾが凸設され、ホゾはキャリアがガイド溝に沿って移動するようにガイド溝を貫通して設けられる。アクチュエータは、キャリアに対応して配置されるカムと、当該カムに連動するモータとを含む。アクチュエータは、キャリアに連動する電磁弁を含む。本体内にはスキャンアセンブリに対応するプラテンブロックと当該プラテンブロックに連動する弾性要素とが配置され、弾性要素は、プラテンブロックを、スキャンアセンブリに押し当てるように、スキャンアセンブリに向けて押し付ける。キャリアは第１ガイド面を有し、プラテンブロックは第１ガイド面に対応して付合される第２ガイド面を有し、第１ガイド面は、キャリアがスキャンアセンブリに向けて移動する際に、第２ガイド面を押圧することでプラテンブロックをスキャンアセンブリから離れるように押し付ける。
【００１５】
本発明に係るスキャン装置において、本体内にはポートに対応するプラテンブロックが配置され、プラテンブロックは、スロットチャンネルを横方向に通過してポートまで移動可能である。
【発明の効果】
【００１６】
本発明のスキャン装置及びその給紙モジュールは、スキャンアセンブリをポートと排紙ローラ群との間のスロープに配置することにより、原稿の歪みやねじれに起因する紙詰まりを回避することができる。
【図面の簡単な説明】
【００１７】
【図１】本発明の第１の実施例に係るスキャン装置を示す側面図である。
【図２】図１の要部拡大図である。
【図３】本発明の第１の実施例に係るスキャン装置を示す概略斜視図である。
【図４】本発明の第１の実施例に係るスキャン装置を示す他の概略斜視図である。
【図５】本発明の第１の実施例に係るスキャン装置の動作を示す概略図である。
【図６】本発明の第２の実施例に係るスキャン装置を示す概略斜視図である。
【図７】本発明の第２の実施例に係るスキャン装置を示す側面図である。
【発明を実施するための形態】
【００１８】
図１〜図４に示すように、本発明の第１の実施例において、スキャン装置に配置された給紙モジュールは、コピー機に原稿を自動的に連続で送ってスキャンされるものである。本発明の給紙モジュールは、両面スキャン可能な給紙モジュールである。そのため、コピー機によって原稿の片面がスキャンされる一方、本発明の給紙モジュールは、原稿を自動的に連続で送るとともに、原稿の他面をスキャンすることが可能である。
【００１９】
本発明の給紙モジュールは、作業平面１０１を有する本体１００を含む。作業平面１０１は、一般的なコピー機の頂面の透光性キャリアプレート１０に付合するように用いられる。本体１００内には、紙送りするためのスロットチャンネル１１０が形成される。本実施例において、スロットチャンネル１１０は、Ｕ字形に形成されることが好ましい。スロットチャンネル１１０の両端には、給紙口１１１及び排紙口１１２がそれぞれ形成される。給紙口１１１には、給紙ローラ群１２１が設けられる一方、排紙口１１２には、排紙ローラ群１２２が設けられる。作業平面１０１には、スロットチャンネル１１０の一方側に連通するポート１０２が開設される。ポート１０２は、コピー機の可動スキャナ２０がスロットチャンネル１１０内における原稿をスキャンするために用いられる。スロットチャンネル１１０には、スキャンアセンブリ２００が配置される。スキャンアセンブリ２００及びポート１０２は、それぞれ、スロットチャンネル１１０の対向する両側面に位置する。これにより、コピー機の可動スキャナ２０及び給紙モジュールのスキャンアセンブリ２００によって、スロットチャンネル１１０内における原稿の両面がそれぞれスキャンされることができる。
【００２０】
排紙口１１２と作業平面１０１との間には、作業平面１０１に垂直な段差Ｄが形成される。本体１００には、段差Ｄの範囲内に排紙トレイ１３０が形成される。スロットチャンネル１１０は、ポート１０２と排紙口１１２との間に作業平面１０１に対して傾斜配置されるスロープ１１３が形成される。これにより、原稿が回転されるようにガイドされて段差Ｄを越えて排紙トレイ１３０に送られることができる。また、スキャンアセンブリ２００は、ポート１０２と排紙ローラ群１２２との間のスロープ１１３に位置する。
【００２１】
本体１００内には、スキャンアセンブリ２００に対応するキャリア３１０とアクチュエータ３２０とが配置される。キャリア３１０の上には、補正シート３１１が配置される。アクチュエータ３２０は、スキャンアセンブリ２００に補正シート３１１を付けるように、キャリア３１０をスキャンアセンブリ２００に向けて押し付けることが可能である。本実施例において、アクチュエータ３２０は、キャリア３１０に対応して配置されるカム３２１と、カム３２１に連動するモータ３２２とを含む。本体１００には、ガイド溝１０３が形成されてもよい。キャリア３１０には、ホゾ３１２が凸設される。ホゾ３１２は、キャリア３１０がガイド溝１０３に沿って移動するようにガイド溝１０３を貫通して設けられる。
【００２２】
本体１００内には、スキャンアセンブリ２００に対応するプラテンブロック４００と、プラテンブロック４００に連動する弾性要素４１０とが配置される。弾性要素４１０は、プラテンブロック４００を、スキャンアセンブリ２００に押し当てるように、スキャンアセンブリ２００に向けて押し付けることが可能である。キャリア３１０は、第１ガイド面３１３を有する一方、プラテンブロック４００は、第１ガイド面３１３に対応して付合される第２ガイド面４０１を有する。キャリア３１０がスキャンアセンブリ２００に向けて移動する際に、第１ガイド面３１３は、第２ガイド面４０１を押圧することでプラテンブロック４００をスキャンアセンブリ２００から離れるように押し付けることが可能である。本体１００内には、ポート１０２に対応するプラテンブロック５００が配置される。プラテンブロック５００は、スロットチャンネル１１０を横方向に通過してポート１０２まで移動可能である。
【００２３】
図５に示すように、紙送りを始める前に、アクチュエータ３２０のモータ３２２が回転してカム３２１が回転するように駆動することで、スキャンアセンブリ２００に向けてキャリア３１０を押し付ける。同時に、キャリア３１０の第１ガイド面３１３は、プラテンブロック４００の第２ガイド面４０１を押圧することで、プラテンブロック４００をスキャンアセンブリ２００から離れるように押し付ける一方、補正シート３１１がスキャンアセンブリ２００に押し当てられるまで、カム３２１によってキャリア３１０が引き続き押し付けられる。スキャンアセンブリ２００は、補正シート３１１をスキャンすることでカラー補正を行う。その後、モータ３２２が逆回転してカム３２１を戻すことによって、キャリア３１０がリリースされる。プラテンブロック４００は、弾性要素４１０に押し付けられてスキャンアセンブリ２００を押し当てるまで移動する。キャリア３１０がリリースされると同時に、プラテンブロック４００は、第２ガイド面４０１を介してキャリア３１０の第１ガイド面３１３を押圧することで、キャリア３１０をスキャンアセンブリ２００から離れるように押し付ける。
【００２４】
図１に示すように、原稿がポート１０２を通過する際に、コピー機の可動スキャナ２０がポート１０２の位置に固定されてスキャンを行う。このとき、原稿の片面をスキャンしやすくするために、ポート１０２に対応するプラテンブロック５００は、原稿をコピー機の透光性キャリアプレート１０に密着させるように押さえる。原稿が続いてスロープ１１３を通過し、原稿の他面をスキャンしやすくするために、スキャンアセンブリ２００に対応するプラテンブロック４００は、弾性要素４１０によって押し付けられることで、原稿をコピー機のスキャンアセンブリ２００に密着させるように押さえる。
【００２５】
図６及び図７に示すように、本発明の第２の実施例において、給紙モジュールは、作業平面１０１を有する本体１００を含む。本体１００内には、スロットチャンネル１１０が形成される。スロットチャンネル１１０の一端には、排紙口１１２が形成される。排紙口１１２には、排紙ローラ群１２２が設けられる。作業平面１０１には、スロットチャンネル１１０の一方側に連通するポート１０２が形成される。スロットチャンネル１１０には、スキャンアセンブリ２００が配置される。スキャンアセンブリ２００は、ポート１０２と排紙ローラ群１２２との間に位置する。本実施例に係る給紙モジュールの説明において、第１の実施例と類似の構成については、簡略化のために説明を省略する。
【００２６】
本実施例と第１の実施例との相違点は、アクチュエータ３２０が電磁弁であってもよいことである。電磁弁（アクチュエータ３２０）は、キャリア３１０に連動している。紙送りを始める前に、電磁弁（アクチュエータ３２０）が作動してカム３２１が回転するように駆動することにより、補正シート３１１がスキャンアセンブリ２００に押し当てられるまで、スキャンアセンブリ２００に向けてキャリア３１０を押し付ける。同時に、キャリア３１０の第１ガイド面３１３は、プラテンブロック４００の第２ガイド面４０１を押圧することで、プラテンブロック４００をスキャンアセンブリ２００から離れるように押し付ける。スキャンアセンブリ２００は、補正シート３１１をスキャンすることでカラー補正を行う。その後、電磁弁（アクチュエータ３２０）が閉じられてキャリア３１０がリリースされる。プラテンブロック４００は、弾性要素４１０に押し付けられてスキャンアセンブリ２００を押し当てるまで移動する。キャリア３１０がリリースされると同時に、プラテンブロック４００は、第２ガイド面４０１を介してキャリア３１０の第１ガイド面３１３を押圧することで、キャリア３１０をスキャンアセンブリ２００から離れるように押し付ける。
【００２７】
本発明の給紙モジュールは、スキャンアセンブリ２００をポート１０２と排紙ローラ群１２２との間のスロープ１１３上に配置することによって、原稿がポート１０２を通過した後にスロープ１１３によって回転されるようにガイドされる。これにより、ポート１０２に対応するプラテンブロック５００が原稿を引っ張る度合いを軽減するとともに、原稿のしわが排紙ローラ群１２２によって伸ばされる結果、歪みやねじれに起因する紙詰まりを回避することができる。
【００２８】
以上、本発明の好適な実施例について説明したが、本発明は、上記実施例に限定されるものではない。本発明にあっては種々の変形が可能であって、かかる変形は、特許請求の範囲内に含まれる変形である限り本発明の技術的範囲に含まれる。
【符号の説明】
【００２９】
１０    透光性キャリアプレート
２０    可動スキャナ
１００  本体
１０１  作業平面
１０２  ポート
１０３  ガイド溝
１１０  スロットチャンネル
１１１  給紙口
１１２  排紙口
１１３  スロープ
１２１  給紙ローラ群
１２２  排紙ローラ群
１３０  排紙トレイ
２００  スキャンアセンブリ
３１０  キャリア
３１１  補正シート
３１２  ホゾ
３１３  第１ガイド面
３２０  アクチュエータ
３２１  カム
３２２  モータ
４００  プラテンブロック
４０１  第２ガイド面
４１０  弾性要素
５００  プラテンブロック
Ｄ      段差
【図１】
2018111599.tif 000003
【図２】
2018111599.tif 000004
【図３】
2018111599.tif 000005
【図４】
2018111599.tif 000006
【図５】
2018111599.tif 000007
【図６】
2018111599.tif 000008
【図７】
2018111599.tif 000009